(57)【要約】【課題】本発明は、１枚の厚紙に予め左右一対のレンズ装着用覗き穴と所要の切込みラインおよび折りぐせラインとを設けておくことにより、簡便に組み立てられるようにするとともに、使用しやすいようにした立体写真鑑賞装置を提供することを課題とする。【解決手段】縦長の１枚の厚紙１において、上辺に一対のレンズ装着用覗き穴２，２を形成するとともに、その一側方に上下方向の切込みライン５を設け、さらに、第１〜４の折りぐせライン６，９，１０，１２を設けておくことにより、接着剤などを必要とせずに立体写真１４を鑑賞することができるようになる。覗き穴２，２にはフレネルレンズ３ａ付きシート３を、切込み４を利用して装着することができる。使用時には、支柱７と立体写真保持板１１との間に立体写真１４を挟みつけるように片手でつまみながら、他方の手で底板１ｂの下方における立体写真１４の下部を挟んだ厚紙重複部分をつまむようにする。【選択図】  図２
2004309615.tif 000002
【特許請求の範囲】
【請求項１】
上縁部に左右一対のレンズ装着用覗き穴を形成された上下方向に細長い１枚の厚紙を折り曲げて形成される立体写真鑑賞装置であって、上記覗き穴の一側方において上記厚紙の上縁付近から下方へ切り込まれ同厚紙の上下長さの中間部に到る切込みラインと、同切込みラインの上下長さの中間位置で上記覗き穴よりやや下方の厚紙部分を後方へ折り曲げて底板を形成するための第１の折りぐせラインと上記切込みラインの上下長さの中間位置で上記第１の折りぐせラインの側方に隣接する厚紙部分を上記第１の折りぐせラインにおける折り曲げ方向と逆向きに折り曲げて後部支柱と上記底板にほぼ平行な上部スペーサとを形成するための第２の折りぐせラインと、同第２の折りぐせラインにおける上記厚紙の折り込みを円滑に行うとともに上記底板の後縁を形成すべく上記切込みラインの下端位置で上記第１の折りぐせラインと平行に設けられた第３の折りぐせラインとを備えるとともに、上記切込みラインの下端よりもやや下方における上記厚紙の下方部分を後方へ１８０度折り曲げ起立させて立体写真保持板を形成するための第４の折りぐせラインを備えたことを特徴とする、立体写真鑑賞装置。
【請求項２】
上記第１の折りぐせラインの中間部において、上記厚紙に鑑賞者の鼻との干渉を回避するための穴が形成されていることを特徴とする、請求項１に記載の立体写真鑑賞装置。
【請求項３】
上記第２の折りぐせラインよりも下方において、上記厚紙の側縁部に、上記立体写真保持板に沿う立体写真の側縁位置を規制するストッパーを形成するための切込みが形成されていることを特徴とする、請求項１または２に記載の立体写真鑑賞装置。
【請求項４】
上記厚紙に、上記覗き穴と整合しうる左右一対のフレネルレンズを備えたシートの隅角部を挿入して同シートを保持するための一対の切込みが形成されていることを特徴とする、請求項１〜３のいずれか１つに記載の立体写真鑑賞装置。
【発明の詳細な説明】
【０００１】
【発明の属する技術分野】
本発明は、１枚の厚紙を折り曲げて形成できるようにした立体写真鑑賞装置に関する。
【０００２】
【従来の技術】
一般に、立体写真鑑賞装置では、左右一対の立体写真を、左右一対のレンズ付き覗き穴から覗くようにして鑑賞するようになっており、折り畳み式のものも開発されている。
しかしながら、従来の折り畳み式の立体写真鑑賞装置では、商品として予め或る程度組立てておく必要があったり、使用状態への移行に手間がかかったりするほか、個人差によって使用しにくい場合もある。
【０００３】
【発明が解決しようとする課題】
そこで本発明は、１枚の厚紙に予め左右一対のレンズ装着用覗き穴と所要の切込みラインおよび折りぐせラインとを設けておくことにより、簡便に組み立てられるようにするとともに、使用しやすいようにした立体写真鑑賞装置を提供することを課題とする。
【０００４】
【課題を解決するための手段】
前述の課題を解決するため、本発明の立体写真鑑賞装置は、上縁部に左右一対のレンズ装着用覗き穴を形成された上下方向に細長い１枚の厚紙を折り曲げて形成される立体写真鑑賞装置であって、上記覗き穴の一側方において上記厚紙の上縁付近から下方へ切り込まれ同厚紙の上下長さの中間部に到る切込みラインと、同切込みラインの上下長さの中間位置で上記覗き穴よりやや下方の厚紙部分を後方へ折り曲げて底板を形成するための第１の折りぐせラインと上記切込みラインの上下長さの中間位置で上記第１の折りぐせラインの側方に隣接する厚紙部分を上記第１の折りぐせラインにおける折り曲げ方向と逆向きに折り曲げて後部支柱と上記底板にほぼ平行な上部スペーサとを形成するための第２の折りぐせラインと、同第２の折りぐせラインにおける上記厚紙の折り込みを円滑に行うとともに上記底板の後縁を形成すべく上記切込みラインの下端位置で上記第１の折りぐせラインと平行に設けられた第３の折りぐせラインとを備えるとともに、上記切込みラインの下端よりもやや下方における上記厚紙の下方部分を後方へ１８０度折り曲げ起立させて立体写真保持板を形成するための第４の折りぐせラインを備えたことを特徴としている。
【０００５】
また本発明の立体写真鑑賞装置は、上記第１の折りぐせラインの中間部において、上記厚紙に鑑賞者の鼻との干渉を回避するための穴が形成されていることを特徴としている。
【０００６】
さらに本発明の立体写真鑑賞装置は、上記第２の折りぐせラインよりも下方において、上記厚紙の側縁部に、上記立体写真保持板に沿う立体写真の側縁位置を規制するストッパーを形成するための切込みが形成されていることを特徴としている。
【０００７】
また本発明の立体写真鑑賞装置は、上記厚紙に、上記覗き穴と整合しうる左右一対のフレネルレンズを備えたシートの隅角部を挿入して同シートを保持するための一対の切込みが形成されていることを特徴としている。
【０００８】
上述の本発明の立体写真鑑賞装置では、左右一対の覗き穴にレンズを装着するだけで、１枚の厚紙を第１〜４の各折りぐせラインに沿い指定方向へ折り曲げることにより極めて簡便に使用可能の状態とすることができ、立体写真保持板の内側に立体写真をあてがい、支柱の上部付近で同支柱と上記立体写真保持板との間に立体写真を挟みつけるように片手でつまみながら、他方の手で底板の下方における立体写真下部を挟んだ厚紙重複部分をつまむようにして本装置を保持し、上記覗き穴からレンズを通し立体写真を透視して鑑賞することができる。
【０００９】
その際、上記第１の折りぐせラインの中間部において、上記厚紙に穴が形成されていると、鑑賞者が上記覗き穴から覗く際に、鼻が本装置と干渉するのを回避できて、立体写真の鑑賞が支障なく行われるようになる。
【００１０】
また、上記第２の折りぐせラインよりも下方において、上記厚紙の側縁部に、上記立体写真保持板に沿う立体写真の側縁位置を規制するストッパーを形成するための切込みが形成されている場合は、同ストッパーの形成により立体写真の側縁の位置決めが適切に行われて、立体写真の鑑賞が的確に行われるようになる。
【００１１】
さらに、上記覗き穴と整合しうる左右一対のフレネルレンズを備えたシートの隅角部が、上記厚紙に形成された一対の切込みに挿入され保持されるようになっていると、上記フレネルレンズ付きシートの着脱が容易に行われ、不使用時には上記シートをつけたまま上記厚紙を折り畳むことも可能になる。
【００１２】
【発明の実施の形態】
以下、図面により本発明の一実施形態としての立体写真鑑賞装置について説明すると、図１はその展開図、図２はその組立て状態を示す斜視図である。
【００１３】
図１に示すように、長方形の厚紙１には、その上縁部において左右一対のレンズ装着用覗き穴２，２が形成されており、同覗き穴２，２の近傍において、厚紙１には、図２に示すような一対のフレネルレンズ３ａ，３ａを形成された透明シート３の隅角部を挿入して同シート３を保持するための一対の切込み４，４が形成されている。
【００１４】
また、図１に示すごとく、覗き穴２の一側方において、厚紙１の上縁付近から下方へ切り込まれ同厚紙１の上下長さの中間部に到る切込みライン５が形成されている。
【００１５】
そして、切込みライン５の長さの中間位置で覗き穴２，２よりもやや下方の厚紙部分を後方へ折り曲げて底板１ｂ（図１，２参照）を形成するための第１の折りぐせライン６が厚紙１に設けられるとともに、同厚紙１には、切込みライン５の上下長さの中間位置で第１の折りぐせライン６の側方に隣接する厚紙部分を第１の折りぐせライン６における折り曲げ方向と逆向きに折り曲げて図２に示す後部支柱７と上部スペーサ８とを形成するための第２の折りぐせライン９が設けられている。
【００１６】
また第２の折りぐせライン９における厚紙１の折り込みを円滑に行うとともに底板１の後縁を形成できるように、切込みライン５の下端位置で第１の折りぐせライン６と平行に第３の折りぐせライン１０が形成されている。
【００１７】
さらに、厚紙１には、切込みライン５の下端よりもやや下方における厚紙下方部分を後方へ１８０度折り曲げ起立させて立体写真保持板１１を形成するための第４の折りぐせライン１２が設けられている。
厚紙１において、第１の折りぐせライン６の中間部には、図１，２に示すように、鑑賞者の鼻との干渉を回避するための穴１３が形成される。
【００１８】
そして、厚紙１における第２の折りぐせライン９よりも下方において、同厚紙１の側縁部には、立体写真１４の側縁位置を規制するストッパー１５を形成するための一対の切込み１６が形成されている。
【００１９】
上述の本実施形態の立体写真鑑賞装置では、左右一対の覗き穴２，２にレンズ３ａを装着するだけで、１枚の厚紙１を第１〜４の各折りぐせライン６，９，１０，１２に沿い指定方向へ折り曲げることにより極めて簡便に使用可能の状態とすることができ、立体写真保持板１１の内側に立体写真１４をあてがい、支柱７の上部付近で同支柱７と立体写真保持板１１との間に立体写真１４を挟みつけるように片手でつまみながら、他方の手で底板１ｂの下方における立体写真１４の下部を挟んだ厚紙重複部分をつまむようにして本装置を保持し、覗き穴２からレンズ３ａを通し立体写真１４を透視して鑑賞することができる。
【００２０】
その際、第１の折りぐせライン６の中間部において厚紙１に穴１３が形成されているので、鑑賞者が覗き穴２から覗く際に、鼻が本装置と干渉するのを回避できて、立体写真１４の鑑賞が支障なく行われるようになる。
【００２１】
また、第２の折りぐせライン９よりも下方において、厚紙１の側縁部に、立体写真保持板１１に沿う立体写真１４の側縁位置を規制するストッパー１５を形成するための切込み１６が形成されているので、同ストッパー１６の形成により立体写真１４の側縁の位置決めが適切に行われて、立体写真１４の鑑賞が的確に行われるようになる。
【００２２】
さらに、覗き穴２，２と整合しうる左右一対のフレネルレンズ３ａ，３ａを備えたシート３の隅角部が、厚紙１に形成された一対の切込み４，５に挿入され保持されるようになっているので、フレネルレンズ付きシート３の着脱が容易に行われ、不使用時にはシート３をつけたまま厚紙１を折り畳むことも可能になる。
【００２３】
このようにして、本発明の立体写真鑑賞装置によれば、一枚の厚紙１に予め左右一対の覗き穴２，２と所要の切込みライン５および折りぐせライン６，９，１０，１２が設けられることにより、極めて簡便に使用可能の状態に組み立てることができ、覗き穴２，２に装着されるレンズを通して内部の立体写真１４を適切に鑑賞できるようになる効果が得られる。
【００２４】
【発明の効果】
以上詳述したように、本発明の立体写真鑑賞装置によれば次のような効果が得られる。
（１）  左右一対の覗き穴にレンズを装着するだけで、１枚の厚紙を第１〜４の各折りぐせラインに沿い指定方向へ折り曲げることにより極めて簡便に使用可能の状態とすることができ、立体写真保持板の内側に立体写真をあてがい、支柱の上部付近で同支柱と上記立体写真保持板との間に立体写真を挟みつけるように片手でつまみながら、他方の手で底板の下方における立体写真下部を挟んだ厚紙重複部分をつまむようにして本装置を保持し、上記覗き穴からレンズを通し立体写真を透視して鑑賞することができる。
（２）  上記第１の折りぐせラインの中間部において、上記厚紙に穴が形成されていると、鑑賞者が上記覗き穴から覗く際に、鼻が本装置と干渉するのを回避できて、立体写真の鑑賞が支障なく行われるようになる。
（３）  上記第２の折りぐせラインよりも下方において、上記厚紙の側縁部に、上記立体写真保持板に沿う立体写真の側縁位置を規制するストッパーを形成するための切込みが形成されている場合は、同ストッパーの形成により立体写真の側縁の位置決めが適切に行われて、立体写真の鑑賞が的確に行われるようになる。
（４）  上記覗き穴と整合しうる左右一対のフレネルレンズを備えたシートの隅角部が、上記厚紙に形成された一対の切込みに挿入され保持されるようになっていると、上記フレネルレンズ付きシートの着脱が容易に行われ、不使用時には上記シートをつけたまま上記厚紙を折り畳むことも可能になる。
【図面の簡単な説明】
【図１】本発明の一実施形態としての立体写真鑑賞装置の展開図である。
【図２】図１の立体写真鑑賞装置の組立て状態を示す斜視図である。
【符号の説明】
１  厚紙
１ｂ  底板
２  覗き穴
３  透明シート
３ａ  フレネルレンズ
４  切込み
５  切込みライン
６  第１の折りぐせライン
７  後部支柱
８  上部スペーサ
９  第２の折りぐせライン
１０  第３の折りぐせライン
１１  立体写真保持板
１２  第４の折りぐせライン
１３  穴
１４  立体写真
１５  ストッパー
１６  切込み
【図１】
2004309615.tif 000003
【図２】
2004309615.tif 000004